(57)【要約】【課題】断面Ｌ字形の化粧パネルを空気調和機本体の吹出口のシール部をゆがませずに取付けられるよにする。【解決手段】空気調和機の本体４は送風ファン７の作動で吸入グリル１８から吸入口６を経て空気を吸い込み、熱交換器８で熱交換し、吹出口９から吹出し、吹出ダクト１０と通風路１７を通り吹出グリル１９から吹き出す。空気調和機の本体４は天井壁１に段を落として設けた二重天井３の角部の天井空間内に天井壁から吊り具５で吊り下げて取付ける。化粧パネル１２は底面の孔１４を前後方向が長径の長孔にし、化粧パネルを前方にずらし、孔１４にネジ１５を通して化粧パネルが前後に動けるように仮止めした後、化粧パネルの正面側を吹出ダクト１０のシール部１１に押しつけながらネジ１６で本締めし、その後に底面のネジ１５を本締めする。【選択図】  図１
2004251533.tif 000002
【特許請求の範囲】
【請求項１】
底面に吸込口を、正面にシール部材が装着された吹出口をそれぞれ備えると共に、前記吸込口と吹出口とを結ぶ空気通路に送風ファンおよび熱交換器を配設してなる本体と、前記吸込口に対応する吸込グリルと前記吹出口に対応して裏面が前記シール部材に密着する吹出グリルとを備え、前記本体の底面と正面とを覆うように装着され、底面にネジを挿通させて前記本体に螺着するための挿通孔を備えた断面Ｌ字形の化粧パネルとで構成される空気調和機において、
前記挿通孔を前後方向を長径とする長孔に形成し、前記ネジで前記化粧パネルを仮固定した後、前面側から背面側に向かって前記化粧パネルを摺動させるとともに、前記吹出グリルの裏面を前記シール部材に密着させ、前記ネジを完全に螺着して前記化粧パネルを前記本体に固定する構造を特徴とする空気調和機。
【発明の詳細な説明】
【０００１】
【発明の属する技術分野】
本発明は空気調和機に係り、底面に吸入口を、正面に吹出口を備えた空気調和機の本体に取付ける断面Ｌ字形の化粧パネルを、吹出口に備えられたシール部を歪ませずに取付けられるようにするものに関する。
【０００２】
【従来の技術】
ホテルのロビー等で、天井壁に段を落として設けた二重天井の角部の天井空間内に取付けられる空気調和機には、例えば、図３に示す如きものがある。すなわち、空気調和機の本体４の底面の吸込口６から送風ファン７の回転により吸入した空気を熱交換器８で冷却または加熱し、吹出口９から吹出ダクト１０を通って正面に吹き出すもので、本体４は天井壁１に吊り具５を用いて吊り下げ、断面Ｌ字形の化粧パネル３１で本体４の底面と正面をカバーしている。化粧パネル３１は底面側と正面側の二方からネジ１５とネジ１６をそれぞれ丸孔（挿通孔）に通して締めつけて取付けるが、取付けの際、底面側を先に位置決めすると、吹出ダクト１０のシール部１１の先端部分に化粧パネル３１の内側が当たり、斜め上方に押されて変形し、化粧パネル３１の通風路１７との間に隙間ができ、冷・暖気漏れが生じる恐れがある。これを避けるには正面側（吹出ダクト１０側）を先にネジ止めすればよいが、これには、化粧パネル３１を下から支えながらネジ１６を締めつけなければならず、作業がしにくく手間がかかるという問題があった。（例えば、特許文献１参照）。
【０００３】
【特許文献１】
特開昭６０−２２６６３９号公報（第７−９頁、第１図、第２図）
【０００４】
【発明が解決しようとする課題】
本発明は以上述べた問題点を解決し、化粧パネルの取付時、化粧パネルの底面側をネジで仮止めして前後方向に動けるようにし、化粧パネルを下から支えることなく正面側を先にネジで固定し、その後で底面側のネジを本締めすることにより、取付作業が容易で、かつ、吹出口のシール部が変形せず、冷・暖気漏れが生じない空気調和機を提供することを目的とする。
【０００５】
【課題を解決するための手段】
本発明は上述の課題を解決するため、底面に吸込口を、正面にシール部材が装着された吹出口をそれぞれ備えると共に、前記吸込口と吹出口とを結ぶ空気通路に送風ファンおよび熱交換器を配設してなる本体と、前記吸込口に対応する吸込グリルと前記吹出口に対応して裏面が前記シール部材に密着する吹出グリルとを備え、前記本体の底面と正面とを覆うように装着され、底面にネジを挿通させて前記本体に螺着するための挿通孔を備えた断面Ｌ字形の化粧パネルとで構成される空気調和機において、
前記挿通孔を前後方向を長径とする長孔に形成し、前記ネジで前記化粧パネルを仮固定した後、前面側から背面側に向かって前記化粧パネルを摺動させるとともに、前記吹出グリルの裏面を前記シール部材に密着させ、前記ネジを完全に螺着して前記化粧パネルを前記本体に固定する。
【０００６】
【発明の実施の形態】
以下、図面に基づいて本発明による空気調和機を詳細に説明する。
図１は本発明による空気調和機の一実施例を示す図で、（イ）は化粧パネルを取付けた状態の要部側断面図、（ロ）は化粧パネルの要部底面図であり、図２は化粧パネルを取付ける過程を説明するための図で、（イ）は化粧パネル取付け前の要部側断面図、（ロ）は化粧パネル仮止め時の要部側断面図である。
図１の１は天井壁、２は二重天井の垂直部、３は二重天井、４は空気調和機の本体、５は吊り下げ具、６は吸込口、７は送風ファン、８は熱交換器、９は吹出口、１０は吹出ダクト、１１はシール部、１２は断面Ｌ字形の化粧パネル、１３は長円形の凹部、１４はネジ止め用の長孔、１５と１６はネジ、１７は化粧パネル１２の通風路、１８は吸込グリル、１９は吹出グリルである。図２の２１はネジ止め用の丸孔で、その他の符号は図１と同じであるので説明を省く。
【０００７】
空気調和機の本体４は、送風ファン７の作動により、化粧パネル１２の底面の吸込グリル１８（図１（ロ）参照）から吸込口６を経て室内の空気を吸い込み、熱交換器８に送り、吸い込まれた空気の温度が設定された温度より高い場合は熱交換により冷却し、低い場合は加熱し、吹出口９から吹き出す。そして、冷却または過熱された空気は、吹出ダクト１０を通り、化粧パネル１２の通風路１７を経て吹出グリル１９（図１（ロ）参照）から前方に吹き出される。
図１（イ）に示すように、空気調和機の本体４は、例えば、ホテルのロビーや部屋の入口に近い場所等で、天井壁１に段を落として二重天井３を設けた箇所の、二重天井３の角部の天井空間内（二重天井の垂直部２と二重天井３とからなる内角部分）に、吊り具５を用いて天井壁１から吊り下げて所定の位置に設置する。これに化粧パネル１２を取付けて本体４の底面と正面をカバーする。このとき、吹出ダクト１０のシール部１１は化粧パネル１２の内面に押されて圧縮され、通風路の縁に密着した状態となり、空気漏れを生じない。
【０００８】
化粧パネル１２は、図２（イ）に示す正面側の丸孔２１と、図１（ロ）や図２（イ）に示す底面側の前後方向が長径の長孔１４（長円形の凹部１３内）とにより、ネジ１６とネジ１５を用いて取付ける。すなわち、まず、図２（ロ）に示す如く、化粧パネル１２の正面側の内側が吹出ダクト１０のシール部１１に触れないように前方（矢印Ａと反対の方向）にずらし、下から支えながら、化粧パネル１２が前後方向に動けるようにネジ１５を軽く締めて仮止めし、しかる後、化粧パネル１２を矢印Ａの方向に動かし、丸孔２１にネジ１６を通して締めつけ、次いで底面側のネジ１５を本締めし、化粧パネル１２を図１に示す位置に固定する。化粧パネル１２はネジ１６を締めつけるとき矢印Ａの方向に略水平に動くので、シール部１１に化粧パネル１２が略正面から押しつけられることになり、シール部１１は形状がゆがまずに圧縮されるので、通風路１７との間に隙間が生じにくく、これにより、吹出ダクト１０から吹き出される空気は殆ど漏れずに通風路１７を通って吹出グリル１９から吹き出されるようになる。また、化粧パネル１２は、正面側のネジ１６を締めつけるとき、先に底面側がネジ１５で仮止めされているので下から支える必要がなく、取付作業がし易く、作業の手間を軽減することができる。
【０００９】
【発明の効果】
以上に説明したように、本発明による空気調和機によれば、化粧パネルを取付けるための底面の取付孔を前後方向が長径の長孔にしたので、化粧パネルを所定位置より前方にずらした位置でネジで底面側を仮止めし、次いで化粧パネルを所定位置に動かして正面側（吹出ダクト側）をネジ止めした後、底面側のネジを本締めすることができるので、化粧パネルの取付の際、化粧パネルを下から支えなくとも正面側をネジ止めでき、取付作業がしやすく、手間が軽減され、かつ、空気調和機本体の吹出ダクトのシール部を化粧パネルで正面から押しながら取付けるので、シール部の形状に歪みが生じず、化粧パネルとの間に隙間ができにくく、空気漏れを生じることがない。
【図面の簡単な説明】
【図１】本発明による空気調和機の一実施例の図で、（イ）は化粧パネル取付時の要部側断面図、（ロ）は化粧パネルの要部底面図である。
【図２】化粧パネルの取付け過程の説明図で、（イ）は図１の化粧パネル取付前の要部側断面図、（ロ）は化粧パネル仮止め時の要部側断面図である。
【図３】従来の空気調和機の一例の要部側断面図である。
【符号の説明】
１  天井壁
２  二重天井の垂直部
３  二重天井
４  空気調和機の本体
５  吊り下げ具
６  吸込口
７  送風ファン
８  熱交換器
９  吹出口
１０  吹出ダクト
１１  シール部
１２  化粧パネル
１３  凹部
１４  長孔
１５、１６  ネジ
１７  通風路
１８  吸込グリル
１９  吹出グリル
２１  丸孔
３１  化粧パネル
【図１】
2004251533.tif 000003
【図２】
2004251533.tif 000004
【図３】
2004251533.tif 000005